(57)【要約】【課題】  非梱包容器を収容した梱包容器の落下衝撃に伴い、梱包容器の上角部に生じる応力集中による容器稜線の裂け等の損傷を防止する。【解決手段】  梱包容器の本体を構成する胴枠部と、梱包容器の底部を構成する底フラップと、梱包箱の天部を構成する蓋フラップとからなり、胴枠部２，３と蓋フラップ１５，１６とで構成する梱包容器の一つの角部をなす三つの稜線のうち、胴枠部２，３と蓋フラップ１５，１６とでなす稜線（折曲げ線２ｃ，３ｃ）に所定長さの切離部を設けた。【選択図】  図１
2005029246.tif 000002
【特許請求の範囲】
【請求項１】
被梱包物を収容するための梱包箱であって、
上記梱包箱の本体を構成する胴枠部と、上記梱包箱の底部を構成する底フラップと、上記梱包箱の天部を構成する蓋フラップとからなり、
上記胴枠部と上記蓋フラップとで構成する一つの角部をなす三つの稜線のうち、上記胴枠部と上記蓋フラップとでなす稜線に所定長さの切離部を設けた
ことを特徴とする梱包容器。
【請求項２】
請求項１記載の梱包容器において、
上記切離部は、上記胴枠部と上記蓋フラップとでなす一方の稜線に設けたことを特徴とする梱包容器。
【請求項３】
請求項１記載の梱包容器において、
上記切離部は、上記胴枠部と上記蓋フラップとでなす両方の稜線に設けたことを特徴とする梱包容器。
【請求項４】
請求項１記載の梱包容器において、
上記蓋フラップは、内フラップと外フラップとからなり、上記外フラップの切離部は上記胴枠部と上記外フラップとでなす稜線に跨がり、かつ上記内フラップの角部が斜めにカットされ、内フラップの切離部は上記胴枠部と上記内フラップとでなす稜線に跨がるようにしたことを特徴とする梱包容器。
【請求項５】
請求項１記載の梱包容器において、
上記蓋フラップは、内フラップと外フラップとからなり、上記外フラップの切離部は上記胴枠部と上記外フラップとでなす稜線に隣接して当該フラップ側に形成されると共に、上記内フラップの角部が斜めにカットされ、上記内フラップの切離部は上記胴枠部と上記内フラップとでなす稜線に隣接して当該フラップ側に形成したことを特徴とする梱包容器。
【請求項６】
請求項１記載の梱包容器において、
上記蓋フラップは、内フラップと外フラップとからなり、上記外フラップの切離部は上記胴枠部と上記外フラップとでなす稜線に隣接して上記胴枠部側に形成され、内フラップの切離部は上記胴枠部と上記内フラップとでなす稜線に隣接して上記胴枠部側に形成したことを特徴とする梱包容器。
【発明の詳細な説明】
【技術分野】
【０００１】
本発明は、例えばＣＲＴ（陰極線管）方式のテレビジョン受像機等の電子機器を梱包するための梱包容器に関し、電子機器の梱包状態において落下衝撃等により発生する梱包容器の破損を回避するようにしたものである。
【背景技術】
【０００２】
一般に、上述したようなテレビジョン受像機を梱包する梱包容器は、例えばダンボール紙を組箱状態に組み立て、テレビジョン受像機は緩衝材を介して梱包し出荷する。ここで、ダンボール紙からなる梱包容器は想定される圧縮荷重で梱包材の許容計算が行われ、梱包材の材料構成が決められる。
【０００３】
図１６はテレビジョン受像機をダンボール紙からなる通常の梱包容器で梱包した状態の外観斜視図であり、図では緩衝材は省略している。
【０００４】
全体を符号５０で示した梱包容器は非梱包物であるテレビジョン受像機５１の外周形状に沿うような六面体からなる胴枠部５２，５３，５４，５５，５６，５７と、これら各胴枠部５２〜５７からそれぞれ延出した下フラップを折り込むことで構成される底面部５８と、各胴枠部５２〜５７からそれぞれ延出した上フラップを折り込むことで構成される蓋面部５９とからなる。
【特許文献１】特開２００１−１１４３８１号公報
【発明の開示】
【発明が解決しようとする課題】
【０００５】
ところで、上述したような〔特許文献１〕における発明の梱包容器は、想定される圧縮荷重で許容計算された梱包材であるが、梱包されたテレビジョン受像機５１はその前方側５１ａは後方側５１ｂより重量が重く、いわゆる偏重心である。
【０００６】
そこで、上述したようなテレビジョン受像機５１を梱包した梱包容器では、図１７に示すようにテレビジョン受像機５１の前方側５１ａの底部を角にして落下した場合、その落下衝撃に対して落下接地箇所の下部の角部の緩衝材６０ａはその形状を歪ませ緩衝エネルギーを緩和する。その際、テレビジョン受像機５１は緩衝材６０ａの歪み分だけ矢印ａの方向に移動することになる。
【０００７】
一方、落下接地箇所の上端側に位置する角部では、テレビジョン受像機５１の移動分だけ上部の角部の緩衝材６０ｂが矢印ｂの方向に押し付けられて移動する。しかし、この緩衝材６０ｂは上部の角部と接触して変形しエネルギーを消費しないので、緩衝材６０ｂの移動による応力は梱包容器の角部を構成する稜の特に、最も強度の弱い胴枠部５２と５３との稜線５２ａに応力が集中することになる。この結果、図１８に示すように胴枠部５２と５３との稜線５２ａに応力集中による裂け部６１が発生し、梱包容器の製品性が損なわれることになる。
【０００８】
そこで、一般にこの種、梱包容器は想定される圧縮荷重で梱包材の許容計算が行われるから、上述したような梱包容器の角部の落下ではその応力に耐えられない材料構成の場合があり、従って、例えばダンボール紙の場合では稜線裂け等の防止のため、材料構成を許容計算値以上に対応するか、稜線部分に補強部材を追加してより強度を強くする必要があった。このため、梱包容器の材料費がコストアップするといった問題があった。
【課題を解決するための手段】
【０００９】
上記の課題を解決し、本発明の目的を達成するため、本発明は、梱包箱の胴枠部と蓋フラップとで構成する一つの角部をなす三つの稜線のうち、胴枠部と蓋フラップとでなす稜線に切離部を設けたことを特徴とする。
【００１０】
また、本発明は、切離部は胴枠部と蓋フラップとでなす一方の稜線に設けたことを特徴とする。
【００１１】
さらに、本発明は、切離部は胴枠部と蓋フラップとでなす両方の稜線に設けたことを特徴とする。
【発明の効果】
【００１２】
本発明の梱包容器は、胴枠部と蓋フラップとでなす稜線に切離部を設けたことで、梱包容器の落下衝撃が底角部に受けたとき、胴枠部の上部稜線に受けた力を切離部によって分散され、稜線の裂け等の損傷を防止することができる。このことは、想定される圧縮荷重の許容計算が行われた包装材の材料をそのまま使用できるようになり、材料費のコストダウンが可能となるといった効果がある。
【発明を実施するための最良の形態】
【００１３】
以下、本発明による梱包容器の最良の形態を、ＣＲＴ方式のテレビジョン受像機を梱包するための梱包容器の場合を例にとって図面を参照して説明する。
【００１４】
図１は梱包容器の組箱状態の外観斜視図であり、図２は梱包容器の展開状態の平面図である。
【００１５】
全体を符号１で示した梱包容器としての梱包体は、テレビジョン受像機を梱包するのに十分な圧縮荷重の許容計算が行われた例えば、複両面構造のダンボール紙をプレス機で打ち抜き加工されたワンピース型である。
【００１６】
梱包体１は六つの胴枠片２，３，４，５，６及び７からなり、各胴枠片２〜７はそれぞれ折り目線２ａ，３ａ，４ａ，５ａ，６ａを介して連接されている。胴枠片２には別に接続片８を有し、各折り目線２ａ，３ａ，４ａ，５ａ，６ａを山折りし、接続片８を胴枠片７と例えばステイプル等により結合することにより、図示しないテレビジョン受像機の胴回り形状に沿ったほぼ台形状の胴枠部を構成するようにされている。
【００１７】
また、胴枠片２，３，４，５，６及び７の各下辺には梱包体１の底部を構成する底フラップ９，１０，１１，１２，１３及び１４がそれぞれ折り目線２ｂ，３ｂ，４ｂ，５ｂ，６ｂ及び７ｂを介して連接されている。
【００１８】
また、胴枠片２，３，４，５，６及び７の各上辺には梱包体１の天部を構成する蓋フラップ１５，１６，１７，１８，１９及び２０がそれぞれ折り目線２ｃ，３ｃ，４ｃ，５ｃ，６ｃ及び７ｃを介して連接されている。
【００１９】
また、蓋フラップ１５にはほぼ「ハ」の字形状の係合孔２１，２１が形成され、この蓋フラップ１５と対向し合う蓋フラップ１８には「い」の字形状の係合孔２２，２２が形成されている。
【００２０】
これに対して、蓋フラップ１７には舌片２３，２３が突出形成され、蓋フラップ１９にも舌片２４，２４が突出形成されている。
【００２１】
ここで、本発明の梱包容器の特徴部分について説明する。
〔第１の実施の形態〕
【００２２】
図２の展開図において、胴枠片３と隣接する胴枠片２と蓋フラップ１５との折り目線２ｃ上に跨がって所定長さのスリット状の切込み溝２５が形成されている。この切込み溝２５と直線上で胴枠片３と蓋フラップ１６との折り目線３ｃに跨がって切込み溝２６が形成され、この切込み溝２６には蓋フラップ１６を斜めに切り欠いた切欠部２６ａが形成されている。上述した切込み溝２５及び切込み溝２６を拡大して示したのが図３である。
【００２３】
また、接続片８側における胴枠片２と蓋フラップ１５との折り目線２ｃ上に跨がって所定長さのスリット状の切込み溝２７が形成されていると共に、胴枠片７と蓋フラップ２０との折り目線７ｃに跨がって切込み溝２８が形成され、この切込み溝２８には蓋フラップ２０を斜めに切り欠いた切欠部２８ａが形成されている。
【００２４】
尚、符号２９と３０は蓋フラップ１５と蓋フラップ１８との端縁にそれぞれ形成され、両蓋フラップ１５，１８を折り込んだとき相互に噛み合って内蓋を構成する凸片である。また、符号３１は図１にも示すように梱包容器を把持するために開口された取手部である。
【００２５】
図４は上述した梱包容器の底フラップ９〜１３を折り込んで底部を構成し、蓋フラップ１５〜２０を開放した状態の斜視部である。この状態の梱包容器内に梱包物であるテレビジョン受像機の所要の角部に例えば発泡スチロール等の図示しない緩衝材で保護するようにした状態で、テレビジョン受像機の前方側を胴枠片２と対面するようにして収容する。そして、蓋フラップ１６，２０を閉止し、このあと、蓋フラップ１５，１８の凸片２９，３０を相互に噛み合うように閉止したあと、最後に蓋フラップ１７を閉止し、蓋フラップ１７の一方の舌片２３を蓋フラップ１５の一方の係合孔２１に差し込み、蓋フラップ１７の他方の舌片２３を蓋フラップ１８の一方の係合孔２２に差し込む。同様に蓋フラップ１９を閉止し、蓋フラップ１９の一方の舌片２４を蓋フラップ１５の他方の係合孔２１に差し込み、蓋フラップ１９の他方の舌片２４を蓋フラップ１８の他方の係合孔２２に差し込むことにより図１に示すように梱包が完了する。
【００２６】
ここで、図１に示した梱包容器の梱包状態では、前述したスリット状の切込み溝２５と、切込み溝２６及び切込み溝２７と、切込み溝２８（切込み溝２８は図１では見えない）は図１のようになる。切込み溝２５と切込み溝２６とを拡大したＡの部分を図５に示す。これによれば、切込み溝２５と切込み溝２６は、胴枠片２と蓋フラップ１５との折り目線２ｃと、胴枠片３と蓋フラップ１６との折り目線３ｃと、折り目線２ａとが交わる三つの稜線の角部を切り離した状態となる。尚、他方の切込み溝２７及び切込み溝２８の場合も上記と同様な構造となる。
【００２７】
本発明による梱包容器は、このように構成したことにより、例えば、梱包容器の底部の角部を図１に示す矢印ｃの位置で落下衝撃を受け、接地したときの梱包容器の上部の角部稜線に受ける応力は切込み溝２５と切込み溝２６で分散される。特に、矢印ｃに受けた力は切込み溝２６に強く受け、図６に示すように切込み溝２６と共に胴枠片３に、いわゆる「グズミ」のような形状変形が生じるだけであり、この結果、圧縮荷重の許容計算が行われた包装材の材料をそのまま使用しても折り目線２ａ部分の稜線に前述したような裂け等の発生を防止することができ、梱包容器の製品性を損なうことがない。
【００２８】
また、切込み溝２６は胴枠片３と蓋フラップ１６との折り目線３ｃである稜線に跨がって形成され、しかも、蓋フラップ１６の角部を斜めに切り欠いた切欠部２６ａが形成されているので、上部の角部稜線に受ける応力によって内フラップとなる蓋フラップ１６がずれたとしても、切込み溝２５や切込み溝２６の縁に接触することもない。
【００２９】
また、蓋フラップ１６はその角部を斜めに切り欠いた切欠部２６ａが形成されているが、この上から外フラップとなる蓋フラップ１５により覆われていることで、梱包容器内が露見することもなく外観の体裁もよい。
〔第２の実施の形態〕
【００３０】
図７はスリット状の切込み溝の別の実施の形態の要部の展開図、図８は同じく組箱状態の角部の斜視図であり、第１の実施の形態と同一部分には同じ符号を附して説明する。
【００３１】
図７の展開図において、この場合、胴枠片３と隣接する胴枠片２と蓋フラップ１５との折り目線２ｃに沿って蓋フラップ１５側に所定長さのスリット状の切込み溝３２が形成されている。この切込み溝３２と直線上で胴枠片３と蓋フラップ１６との折り目線３ｃに沿って蓋フラップ１６側に切込み溝３３が形成され、この切込み溝３３には蓋フラップ１６を斜めに切り欠いた切欠部３３ａを形成した構成である。
【００３２】
このように構成した場合であっても第１の実施の形態と同様に梱包容器の底部の角部に落下衝撃を受け、接地したときの梱包容器の上部の角部稜線に受ける応力を切込み溝３２と切込み溝３３とで分散することができ、折り目線２ａ部分の稜線に裂け等の損傷の発生を防止することができ、梱包容器の製品性を損なうことがない。
〔第３の実施の形態〕
【００３３】
図９はスリット状の切込み溝のさらに別の実施の形態の要部の展開図、図１０は同じく組箱状態の角部の斜視図であり、第１の実施の形態と同一部分には同じ符号を附して説明する。
【００３４】
図９の展開図において、この場合、胴枠片３と隣接する胴枠片２と蓋フラップ１５との折り目線２ｃに沿って胴枠片２側に所定長さのスリット状の切込み溝３４が形成されている。この切込み溝３４と直線上で胴枠片３と蓋フラップ１６との折り目線３ｃに沿って胴枠片３側に切込み溝３５が形成された構成である。
【００３５】
このように構成した場合も第１及び第２の実施の形態と同様に梱包容器の底部の角部に落下衝撃を受け、接地したときの梱包容器の上部の角部稜線に受ける応力を切込み溝３４と切込み溝３５とで分散することができ、折り目線２ａ部分の稜線に裂け等の損傷の発生を防止することができ、梱包容器の製品性を損なうことがない。
〔第４の実施の形態〕
【００３６】
図１１は切込み溝のさらに別の実施の形態の要部の展開図、図１２は同じく組箱状態の角部の斜視図であり、第１の実施の形態と同一部分には同じ符号を附して説明する。
【００３７】
図１１の展開図において、折り目線２ｃと折り目線３ｃとを横切るように蓋フラップ１５側と蓋フラップ１６側にやや張り出すようにスリット溝３６，３７が形成され、蓋フラップ１５のスリット溝３６の端部には折り目線２ｃを横断し胴枠片２に突き出るスリット溝３６ａが形成されている。また、蓋フラップ１６のスリット溝３７の端部にも折り目線３ｃを横断し胴枠片３に突き出るスリット溝３７ａが形成され、このスリット溝３７ａに連なるように蓋フラップ１６に切欠部３７ｂが形成されている構成である。
【００３８】
このように構成した場合も上述した実施の形態と同様に梱包容器の底部の角部に落下衝撃を受け、接地したときの梱包容器の上部の角部稜線に受ける応力を切込み溝３６と切込み溝３７とで分散することができ、折り目線２ａ部分の稜線に裂け等の損傷の発生を防止することができ、梱包容器の製品性を損なうことがない。
〔第５の実施の形態〕
【００３９】
図１３は切込み溝のさらに別の実施の形態の要部の展開図、図１４は同じく組箱状態の角部の斜視図であり、第１の実施の形態と同一部分には同じ符号を附して説明する。
【００４０】
図１３の展開図において、折り目線２ｃと折り目線３ｃとを横切るように切込み溝３８，３９が形成され、切込み溝３８には蓋フラップ１６側に亘って切欠部３８ａが形成され、切込み溝３９には蓋フラップ１６側に亘って切欠部３９ａが形成されている構成である。
【００４１】
このように構成した場合も上述した実施の形態と同様に梱包容器の底部の角部に落下衝撃を受け、接地したときの梱包容器の上部の角部稜線に受ける応力を切込み溝３８と切込み溝３９とで分散することができ、折り目線２ａ部分の稜線に裂け等の損傷の発生を防止することができ、梱包容器の製品性を損なうことがない。
【００４２】
本発明の梱包容器は、ＣＲＴ方式のテレビジョン受像機を梱包するためのほぼ台形状の梱包容器の場合を例にとって説明したが、その他、図１５に示すように四つの折り目線４０ａ，４１ａ，４２ａ及び４３ａで連接した胴枠片４０，４１，４２及び４３からなる長方形状のダンボール紙からなる梱包材の場合にも適用可能である。この場合、各胴枠片４０，４１，４２及び４３にはそれぞれ折り目線４０ｂ，４１ｂ，４２ｂ及び４３ｂを介して蓋フラップ４４，４５，４６及び４７を有している。
【００４３】
上述した梱包容器の場合、各胴枠片４０，４１，４２及び４３の折り目線４０ａ，４１ａ，４２ａ及び４３ａがなす稜線と、蓋フラップ４４，４５，４６及び４７との折り目線４０ｂ，４１ｂ，４２ｂ及び４３ｂがなす稜線のそれぞれ交わる四つの各角部に図３に示した切込み溝２５，２６が形成されている。
【００４４】
このような長方形状の梱包容器の場合にも、底部の角部に落下衝撃を受けて接地したときの梱包容器の上部の角部稜線に受ける応力を切込み溝２５と切込み溝２６とで分散することができ、折り目線４０ａ，４１ａ，４２ａ，４３ａとなる稜線に裂け等の損傷の発生を防止することができ、梱包容器の製品性を損なうことがないといった利点がある。
【００４５】
尚、本発明は、上述しかつ図面に示した実施の形態に限定されるものでなく、その要旨を逸脱しない範囲内で種々の変形実施が可能である。
【００４６】
第１〜第５の実施の形態では、胴枠片２の左右の両角部に切込み溝を形成した場合について説明したが、一方の角部にだけ形成してあってもよく、あるいは、少なくとも一方の角部で、胴枠片と蓋フラップとのなす一つの稜線にのみ切込み溝を形成することであってもよい。
【００４７】
また、梱包材として、ダンボール紙に限定するものではなく、その他、コート紙やプラスチック（シート材やプラスチックダンボール）等を使用することであっても広く適用可能である。また、底フラップ部はフラップに限らず別枠片であっても広く適用可能である。
【００４８】
さらに、本発明の梱包容器は、非梱包物がテレビジョン受像機に限定することなく、その他の電子機器等の梱包容器にも広く適用可能である。
【図面の簡単な説明】
【００４９】
【図１】本発明における梱包容器の第１の実施の形態の組箱状態の外観斜視図である。
【図２】同じく梱包容器の第１の実施の形態の展開図である。
【図３】同じく第１の実施の形態の切込み溝形状を拡大した展開図である。
【図４】同じく第１の実施の形態の梱包容器の蓋フラップを開放した状態の斜視図である。
【図５】同じく第１の実施の形態の梱包容器を組箱にした上角部を拡大した切込み溝の様子の斜視図である。
【図６】同じく第１の実施の形態の梱包容器の上角部に応力が生じたとき、切込み溝が変形した様子の斜視図である。
【図７】第２の実施の形態の切込み溝形状を拡大した展開図である。
【図８】同じく第２の実施の形態の梱包容器を組箱にした上角部を拡大した切込み溝の様子の斜視図である。
【図９】第３の実施の形態の切込み溝形状を拡大した展開図である。
【図１０】同じく第３の実施の形態の梱包容器を組箱にした上角部を拡大した切込み溝の様子の斜視図である。
【図１１】第４の実施の形態の切込み溝形状を拡大した展開図である。
【図１２】同じく第４の実施の形態の梱包容器を組箱にした上角部を拡大した切込み溝の様子の斜視図である。
【図１３】第５の実施の形態の切込み溝形状を拡大した展開図である。
【図１４】同じく第５の実施の形態の梱包容器を組箱にした上角部を拡大した切込み溝の様子の斜視図である。
【図１５】形状の異なる梱包容器に適用した例の斜視図である。
【図１６】テレビジョン受像機を梱包した従来の梱包容器の斜視図である。
【図１７】梱包容器を落下したときに、梱包容器の上角部に受ける力の様子の説明図である。
【図１８】梱包容器を落下したときの応力集中により、梱包容器の稜線に裂け等の損傷が生じた状態の斜視図である。
【符号の説明】
【００５０】
１…梱包容器、２，３，４，５，６，７…胴枠片、２ａ，３ａ，４ａ，５ａ，６ａ，７ａ…折り曲線（稜線）、２ｃ，３ｃ，４ｃ，５ｃ，６ｃ，７ｃ…折り曲線（稜線）、９，１０，１１，１２，１３，１４…底フラップ、１５，１６，１７，１８，１９，２０…蓋フラップ、２５，２６、３２，３３、３４，３５、３６，３７、３８，３９…切込み溝、２６ａ，３３ａ，３７ｂ，３８ａ，３９ａ…切欠部
【図１】
2005029246.tif 000003
【図２】
2005029246.tif 000004
【図３】
2005029246.tif 000005
【図４】
2005029246.tif 000006
【図５】
2005029246.tif 000007
【図６】
2005029246.tif 000008
【図７】
2005029246.tif 000009
【図８】
2005029246.tif 000010
【図９】
2005029246.tif 000011
【図１０】
2005029246.tif 000012
【図１１】
2005029246.tif 000013
【図１２】
2005029246.tif 000014
【図１３】
2005029246.tif 000015
【図１４】
2005029246.tif 000016
【図１５】
2005029246.tif 000017
【図１６】
2005029246.tif 000018
【図１７】
2005029246.tif 000019
【図１８】
2005029246.tif 000020